(57)【要約】【課題】火災時の煙の流出を防ぐと共に、広い開口を形成して避難経路に使用することで初期避難を有効に行なう。【解決手段】シャッターカーテン１と、開口部全閉状態で避難経路を形成する子扉５を備えると共に、シャッターカーテン１の幅方向の一側の端部を受け入れるガイドレールG1を戸先側端部に備え、火災時に収納姿勢から閉鎖姿勢へ回動する袖扉２と、シャッターカーテン１の幅方向の他側の端部を受け入れるガイドレールG2と、シャッターカーテン１を天井面から所定の距離だけ降下させて停止させ、停止したシャッターカーテン１と袖扉の上方部位とで防煙垂壁を形成すると共に、停止したシャッターカーテン１の下方に避難経路を形成する第１降下手段と、停止したシャッターカーテン１を床面まで再降下させて開口部全閉状態とする第２降下手段とを備えている。【選択図】図４
2010264082.tif 000002
【特許請求の範囲】
【請求項１】
シャッターカーテンと、
開口部全閉状態で避難経路を形成する子扉を備えると共に、シャッターカーテンの幅方向の一側の端部を受け入れるガイドレールを戸先側端部に備え、火災時に収納姿勢から閉鎖姿勢へ回動する袖扉と、
シャッターカーテンの幅方向の他側の端部を受け入れるガイドレールと、
前記シャッターカーテンを天井面から所定の距離だけ降下させて停止させ、停止したシャッターカーテンと袖扉の上方部位とで防煙垂壁を形成すると共に、停止したシャッターカーテン下方に避難経路を形成する第１降下手段と、
前記停止したシャッターカーテンを床面まで再降下させて開口部全閉状態とする第２降下手段と、
を備えている、袖扉連動防火防煙シャッター装置。
【請求項２】
前記袖扉は床面から天井面に達する高さを備えており、
前記第１降下手段によるシャッターカーテンの降下は、前記袖扉が閉鎖姿勢となった後に、前記シャッターカーテンの幅方向の一側の端部を前記袖扉の戸先側端部のガイドレールに案内させながら行われる、
請求項１に記載の袖扉連動防火防煙シャッター装置。
【請求項３】
前記袖扉は、上側の第１扉体と下側の第２扉体とから構成されており、前記第１の扉体は前記天井面から所定の距離に対応する高さを備えており、
前記第１降下手段によるシャッターカーテンの降下は、少なくとも前記第１扉体が閉鎖姿勢となった後に、前記シャッターカーテンの幅方向の一側の端部を前記第１の扉体の戸先側端部のガイドレールに案内させながら行われる、
請求項１に記載の袖扉連動防火防煙シャッター装置。
【請求項４】
シャッターカーテンと、
開口部全閉状態で避難経路を形成する子扉を備えると共に、シャッターカーテンの幅方向の一側の端部を受け入れるガイドレールを戸先側端部に備え、火災時に収納姿勢から閉鎖姿勢へ回動する袖扉と、
閉鎖姿勢にある前記袖扉の直上に位置して設けられ、シャッターカーテンの幅方向の一側の端部を受け入れるガイドレールを備えた幕板と、
シャッターカーテンの幅方向の他側の端部を受け入れるガイドレールと、
シャッターカーテンの幅方向の一側の端部を前記幕板のガイドレールに案内させながら天井面から所定の距離だけ降下させて停止させ、停止したシャッターカーテンと前記幕板とで防煙垂壁を形成すると共に、停止したシャッターカーテン下方に避難経路を形成する第１降下手段と、
前記停止したシャッターカーテンをシャッターカーテンの幅方向の一側の端部を前記袖扉のガイドレールに案内させながら床面まで再降下させて開口部全閉状態とする第２降下手段と、
を備えている、袖扉連動防火防煙シャッター装置。
【発明の詳細な説明】
【技術分野】
【０００１】
本発明は、シャッターカーテンと、シャッターカーテンの幅方向の一側の端部を受け入れるガイド溝を戸先側端部に備えた袖扉とで、建物内部の所定部位を閉鎖する防火防煙シャッター装置に関するものである。
【背景技術】
【０００２】
防火防煙シャッターは、感知器からの信号を受けるとシャッターカーテンが降下して開口部を全閉する。開口部全閉状態において、シャッターカーテンには避難口がないため、全閉状態にあるシャッターカーテンを避難経路として用いることはできない（図１０（A））。
【０００３】
袖扉併設の防火防煙シャッターにおいては、感知器からの信号を受けるとシャッターカーテンが降下して袖扉と共に開口部を全閉状態とする。袖扉併設の防火防煙シャッターには、シャッターカーテンの幅方向の一端を案内するガイド溝を備えた固定中柱を備えたもの（図１０（B））、あるいは、戸先側端部にガイド溝を備えた袖扉を用いたもの（特許文献１）が知られている。袖扉併設の防火防煙シャッターにおいては、開口部全閉状態において、袖扉に設けられた避難用子扉が避難経路となり、避難者は子扉を開放して避難する。しかしながら、物販店等の商業施設などの不特定多数の人間が利用する建物においては、避難者が避難経路に殺到するおそれがあるが、袖扉に設けた子扉では、万が一の場合、多数の避難者を捌ききれないおそれがある。
【０００４】
【特許文献１】特開２００６−２００３４３号
【発明の概要】
【発明が解決しようとする課題】
【０００５】
本発明は、火災時の煙の流出を防ぐと共に、広い開口を形成して避難経路に使用することで初期避難を有効に行なうことを目的とするものである。
【課題を解決するための手段】
【０００６】
本発明が採用した技術手段は、
シャッターカーテンと、
開口部全閉状態で避難経路を形成する子扉を備えると共に、シャッターカーテンの幅方向の一側の端部を受け入れるガイドレールを戸先側端部に備え、火災時に収納姿勢から閉鎖姿勢へ回動する袖扉と、
シャッターカーテンの幅方向の他側の端部を受け入れるガイドレールと、
前記シャッターカーテンを天井面から所定の距離だけ降下させて停止させ、停止したシャッターカーテンと袖扉の上方部位とで防煙垂壁を形成すると共に、停止したシャッターカーテン下方に避難経路を形成する第１降下手段と、
前記停止したシャッターカーテンを床面まで再降下させて開口部全閉状態とする第２降下手段と、
を備えている、袖扉連動防火防煙シャッター装置、である。
【０００７】
１つの態様では、前記袖扉は床面から天井面に達する高さを備えており、前記第１降下手段によるシャッターカーテンの降下は、前記袖扉が閉鎖姿勢となった後に、前記シャッターカーテンの幅方向の一側の端部を前記袖扉の戸先側端部のガイドレールに案内させながら行われる。
【０００８】
１つの態様では、前記袖扉は、上側の第１扉体と下側の第２扉体とから構成されており、前記第１の扉体は前記天井面から所定の距離に対応する高さを備えており、前記第１降下手段によるシャッターカーテンの降下は、少なくとも前記第１扉体が閉鎖姿勢となった後に、前記シャッターカーテンの幅方向の一側の端部を前記第１の扉体の戸先側端部のガイドレールに案内させながら行われる。
【０００９】
本発明が採用した他の技術手段は、
シャッターカーテンと、
開口部全閉状態で避難経路を形成する子扉を備えると共に、シャッターカーテンの幅方向の一側の端部を受け入れるガイドレールを戸先側端部に備え、火災時に収納姿勢から閉鎖姿勢へ回動する袖扉と、
閉鎖姿勢にある前記袖扉の直上に位置して設けられ、シャッターカーテンの幅方向の一側の端部を受け入れるガイドレールを備えた幕板と、
シャッターカーテンの幅方向の他側の端部を受け入れるガイドレールと、
シャッターカーテンの幅方向の一側の端部を前記幕板のガイドレールに案内させながら天井面から所定の距離だけ降下させて停止させ、停止したシャッターカーテンと前記幕板とで防煙垂壁を形成すると共に、停止したシャッターカーテン下方に避難経路を形成する第１降下手段と、
前記停止したシャッターカーテンをシャッターカーテンの幅方向の一側の端部を前記袖扉のガイドレールに案内させながら床面まで再降下させて開口部全閉状態とする第２降下手段と、
を備えている、袖扉連動防火防煙シャッター装置、である。
１つの態様では、前記幕板は、前記天井面から所定の距離に亘る高さ寸法（防煙垂壁を形成するのに十分な寸法）を備えているが、幕板の高さ寸法が防煙垂壁を形成するのに十分でない場合には、第１降下手段は、シャッターカーテンの幅方向の一側の端部を前記幕板のガイドレール及び前記袖扉のガイドレールに案内させながら天井面から所定の距離だけ降下させて停止させ、停止したシャッターカーテンと前記幕板と袖壁の上方部位とで防煙垂壁を形成する。
【発明の効果】
【００１０】
本発明では、第１降下手段によって所定距離だけ降下したシャッターカーテンが、袖扉ないし幕板と共に、防火区画部位に上部から所定距離D（例えば、５００ｍｍ以上）垂下する防煙垂壁を形成することで、煙の流出を防ぐことができると同時に、途中で停止したシャッターカーテンの下方に形成された大きな空間を避難経路として使用することができ、火災が発生した時の初期避難に有効である。
【００１１】
第１降下手段によって降下して停止したシャッターカーテンの一側の端部が袖扉の戸先側のガイドレールの上方部位に受け入れられているものでは、袖扉の戸先側部位がガイドレールに溝内で拘束されて袖扉の開放が規制されるので、袖扉に避難者が当たったような場合にも袖扉が開放してしまうことがなく、防煙垂壁効果が維持される。途中停止したシャッターカーテンの下方に形成された開口を避難経路として大多数の避難者が避難した後に、第２降下手段でシャッターカーテンが床面まで降下して防火区画を形成した場合には、袖扉に設けた子扉から避難することができる。
【図面の簡単な説明】
【００１２】
【図１】袖扉連動防火防煙シャッターにおいて、袖扉が閉鎖姿勢にあり、シャッターカーテンが全開姿勢にある概略正面図である。
【図２】袖扉の収納姿勢と閉鎖姿勢を示す部分平面図である。
【図３】袖扉連動防火防煙シャッターの全体構成を示す図である。
【図４】第１降下手段によるシャッターカーテンの１段目の降下を示す図である。
【図５】（A）他の実施形態における第１降下手段によるシャッターカーテンの１段目の降下を示す図である。下側の袖扉は閉鎖途中である。（B）他の実施形態における第１降下手段によるシャッターカーテンの１段目の降下を示す図である。袖扉は閉鎖途中である。
【図６】閉鎖姿勢まで回動した袖扉の上方部位を示す部分縦断面図である。
【図７】閉鎖姿勢にある袖扉の上端のラッチがロックした状態を示す図である。
【図８】閉鎖姿勢にある袖扉の上端のラッチのロックが解除された状態を示す図である。
【図９】他の実施形態に係る閉鎖姿勢にある袖扉の上端のラッチの解除を示す。
【図１０】従来の防火防煙シャッター装置を示す図であり、（A）は防火防煙シャッターの全閉状態を示し、（B）は固定中柱を備えた袖扉付き防火防煙シャッターの全閉状態を示す。
【発明を実施するための形態】
【００１３】
本発明の実施形態を図面に基づいて詳細に説明する。先ず、袖扉連動防火防煙シャッター装置の構成について図１乃至図４に基づいて説明する。袖扉連動防火防煙シャッター装置は、火災時にシャッターカーテン１と袖扉２とで、左右の側壁３、４と天井ＣＬと床面ＦＬとで形成される開口部を全閉する装置である。袖扉２には避難用の子扉５が開閉可能に設けてあると共に、戸先側端部にはガイドレールG1が形成されている。シャッターカーテン１の昇降時には、シャッターカーテン１の幅方向の一側の端部は、シャッターカーテン１の幅方向の一端の端部は袖扉２の戸先側端部に設けたガイドレールG1の溝部に案内され、シャッターカーテン１の幅方向の他端の端部は側壁３に設けたガイドレールG２の溝部によって案内される。
【００１４】
袖扉連動防火防煙シャッター装置は、建物内の空間の所定の防火及び防火防煙区画部位に設置されており、通常時には、シャッターカーテン１は天井内で図示しない巻取シャフトに巻装されており、開閉機６のブレーキによって巻取シャフトの回転は規制されている。一方、図２に示すように、袖扉２は側壁４に沿った収納姿勢にある。火災時に、袖扉２が収納姿勢から回動して閉鎖姿勢となって、シャッターカーテン１は幅方向両端がガイドレールG1、G2の溝部に案内されながら２段階で床面FLまで降下することで、シャッターカーテン１と袖扉２とで建物内空間を閉鎖して建物内を区画して開口部全閉状態となる。すなわち、開口部の幅方向の一部がシャッターカーテン１によって、残りの部分が袖扉２によって、それぞれ閉鎖される。開口部全閉状態であっても、袖扉２に設けられた子扉５を開放することで避難可能となっている。
【００１５】
袖扉２を収納姿勢から閉鎖姿勢へ回動させる手段および袖扉２の閉鎖動作とシャッターカーテン１の降下の連動について詳述する。袖扉２は、側壁４に対して平行に延びる収納姿勢と、側壁４に対して垂直に延びる姿勢、すなわち、開口部の幅方向に延びる閉鎖姿勢、との間で回動可能となっている。袖扉２の戸尻側には、袖扉２を収納姿勢から閉鎖姿勢への回動させる自動閉鎖装置としてのオートヒンジ（図示せず）が設けてあり、袖扉２が自由な状態では、オートヒンジの付勢力によって、袖扉２は、側壁４に平行な収納姿勢から、側壁４に対して垂直な姿勢、すなわち、開口部の幅方向に延出する閉鎖姿勢へ向かって自動的に回動する。袖扉２を収納姿勢から閉鎖姿勢への回動させる自動閉鎖装置としてはオートヒンジ以外の他の手段が採用され得ることは当業者に理解される。
【００１６】
通常時には、袖扉２は、電磁レリーズ７によって、側壁４に平行な収納姿勢で回動規制されており、収納姿勢が保持されている。電磁レリーズ７は、火災検知信号を受けると解除されるようになっており、電磁レリーズ７の解除後は、オートヒンジの付勢力で袖扉２が自動的に閉鎖方向に回動する。このような電磁レリーズは、当業者によく知られている。また、袖扉２を収納姿勢で保持する手段は、電磁的な保持手段（典型的には、電磁レリーズが例示される）に限定されるものではなく、他の手段が採用され得ることは当業者に理解される。
【００１７】
袖扉２によって閉鎖される開口部には、袖扉２が閉鎖姿勢にあることを検知する連動スイッチＳＷ１が設けてある。袖扉２が閉鎖位置まで回動した時に袖扉２の部分が連動スイッチＳＷ１に接触することで連動スイッチＳＷ１がＯＮ（作動状態）となる。具体的な態様例では、連動スイッチＳＷ１は開口部の上側（閉鎖姿勢にある袖扉２の上端面に対向した部位）に位置して設けられる。火災時に、火災検知信号を受けて袖扉２が閉鎖姿勢まで回動して、連動スイッチＳＷ１がＯＮ（作動状態）となると、制御部８からの信号で自動閉鎖装置９が開閉機６のブレーキを解放することで巻取シャフトの回転規制が解除されて、シャッターカーテン１が自重で降下する。
【００１８】
本発明に係る袖扉連動防火防煙シャッター装置において、シャッターカーテン１は、第１降下手段と第２降下手段によって２段階で降下される。図４に示すように、第１降下手段は、シャッターカーテン１を天井面から所定の距離Dだけ降下させて停止させ、停止したシャッターカーテン１によって防煙垂壁を形成すると共に、停止したシャッターカーテン１の下方に形成された空間Sが避難経路となる。
【００１９】
天井から所定距離降下したシャッターカーテン１及び袖扉２の上方部位による垂壁効果によって煙の流出を防ぐと同時に、停止したシャッターカーテン１の下方に子扉５に比べて大きな避難経路を形成することで、火災発生時における初期避難を良好に行なうことができる。特に、物販店等の商業施設などの不特定多数の人間が利用する建物の避難経路において、避難者が殺到した場合であっても、シャッターカーテン１の下方の広い空間Sを避難経路として避難することができる。この時、袖扉２の戸先側のガイドレールG1の溝部には所定位置まで降下して停止したシャッターカーテン１の幅方向の端部が挿入されているので、袖扉２の戸先側部位がガイドレールG1の溝部に拘束され、袖扉２に避難者が当たって圧力が作用したような場合であっても袖扉２が開放されることがなく垂壁効果が維持される。
【００２０】
第２降下手段は、タイマないし第２の感知手段に基づいて停止したシャッターカーテン１を床面FLまで再降下させて開口部全閉状態とする。開口部全閉状態であっても、袖扉２に設けた子扉５を開放することで避難が可能である。例えば、第１降下手段は煙感知器（第１の感知手段）による感知に基づいて実行され、第２降下手段は熱感知器（第２の感知手段）による感知に基づいて実行される。
【００２１】
図６に示すように、開口部の上方の天井にはラッチLが出没可能に設けてあり、袖扉２が全閉姿勢まで回動して戸当り部に当接した時に、袖扉２の上面に形成されたラッチ受けにラッチLが嵌ってロック状態となることで、袖扉２が閉鎖完了するときのリバウンドを防止している。袖扉２を閉鎖姿勢から収納姿勢へ開放させる時（復旧時）には、ワイヤやソレノイド等を用いてラッチをラッチ受けから退避させる。ロック状態にあるラッチLの解除手段については後述する。
【００２２】
図２では、袖扉２が収納される側壁４は、袖扉連動防火防煙シャッターによって閉鎖される開口部の幅方向に対して略９０度で延出しているが、側壁５は開口部の幅方向に対して９０度で延出するものに限定されるものではない。また、図示の例では、シャッターカーテン１の片側に位置して袖扉２を備えているが、シャッターカーテン１の両側に位置して２つの袖扉を備えたものでもよい。この場合、シャッターカーテン１の幅方向の他側の端部を受け入れるガイドレールG２は他方の袖扉の戸先側端部に設けられる。したがって、特許請求の範囲の記載における「シャッターカーテンの幅方向の他側の端部を受け入れるガイドレール」は典型的には側壁に設けられたガイドレールG２であるが、「シャッターカーテンの幅方向の他側の端部を受け入れるガイドレール」は本実施形態で詳述する袖扉２（後述する第１扉体２A、第２扉体２B、袖扉２´）とは反対側に設けられる他方の袖扉の戸先側端部に設けられたガイドレールであってもよい。ここで、他方の袖扉の構成については袖扉２（第１扉体２A、第２扉体２B、袖扉２´）についての記載を援用することができる。
【００２３】
また、開口部全閉状態において、本実施形態で詳述する袖扉２（第１扉体２A、第２扉体２B、袖扉２´）が形成する面とシャッターカーテン１が形成する面とは同じ方向（平面視直線状）に延出しているが、開口部全閉状態において、袖扉が形成する面とシャッターカーテンが形成する面とが角度を持って（例えば９０度、平面視L形状）延出するものでもよい。この場合に、袖扉の戸先側端部に設けられるガイドレールの溝部の向き（袖扉の幅方向に対する）が図示のものとは異なることは当業者に理解される。
【００２４】
火災時における袖扉連動防火防煙シャッター装置の動作について図３に基づいて説明する。袖扉連動防火防煙シャッター装置は、火災時に感知器によって生成される防災信号である火災検知信号に基づいて動作する。１つの態様では、火災検知信号には、煙感知器からの検知信号と熱感知器からの検知信号があるが、必ずしもこの２つに限定されるものではない。火災時に、火災検知信号（典型的には煙感知器からの信号）が制御部８に入力されると、制御部８は閉鎖信号を袖扉電磁レリーズ７及びシャッター自動閉鎖装置９へ出力（連続）する。
【００２５】
このとき、袖扉２の閉鎖が完了していない状態では連動スイッチSW１の接点が入っていないため、袖扉２の電磁レリーズ７のみに通電され、袖扉２がオートヒンジのばね力により側壁４に平行な収納姿勢から開口幅方向に平行な閉鎖姿勢へ回動を開始する。
【００２６】
袖扉２が閉鎖姿勢まで回動して閉鎖完了すると連動スイッチＳＷ１の接点が入り、制御部８からの出力がシャッター自動閉鎖装置９へ通電される。閉鎖信号を受信したシャッター自動閉鎖装置９は開閉機６のブレーキを解放し、シャッターカーテン１が自重降下を開始する。
【００２７】
シャッターカーテン１が設定高さ（開閉機リミットスイッチＳＷ２により位置を設定）まで降下すると、開閉機リミットスイッチＳＷ２の接点が入り、制御部８からの指令で継続出力されている閉鎖信号を遮断することで、開閉機６のブレーキが復帰して、シャッターカーテン１の降下が一時停止する。開閉機リミットスイッチSW2により設定される高さは、途中まで降下したシャッターカーテン１が防煙垂壁として機能し得る高さであり、１つの態様では、防煙垂壁を形成するシャッターカーテン１の高さ寸法は天井から５００ｍｍ以上である。
【００２８】
制御部８内のタイマー（時間経過による再降下）もしくは別系統感知器（典型的には熱感知器）からの火災検知信号（別系統感知器の検知による再降下）の制御部８への入力により、制御部８から閉鎖信号をシャッター自動閉鎖装置９へ出力する。シャッター自動閉鎖装置９が開閉機６のブレーキを解放し、シャッターカーテン１が再降下を開始する。シャッターカーテン１が床面まで閉鎖完了し区画を形成する。
【００２９】
シャッターカーテン１の降下中に、シャッターカーテン１の下端の座板１Aに障害物等が当接すると、座板１Aに設けられた座板スイッチがONとなり、検知信号がコードリール１０を通じて制御部８に送信され、制御部８からの信号で開閉機６のブレーキが復帰してシャッターカーテン１の降下が停止する。非停電時であれば、開閉機６によりシャッターカーテン１が所定距離だけ上昇し（いわゆるタッチアップ）、座板スイッチがOFFである（障害物等が取り除かれている）ことを確認した上で、制御部８からの信号で自動閉鎖装置９によりシャッターカーテン１が再下降する。停電時には、シャッターカーテン１の下降は一時停止後、タッチアップせず、座板スイッチがOFFであることを確認した上で、再降下を行う。コードリールを用いた障害物検知手段は当業者に公知である。シャッターカーテン降下時の障害物検手段はコードリールを用いた有線方式に限定されるものではなく、無線方式、あるいは他の障害物検知手段であってもよい。
【００３０】
また、袖扉連動防火防煙シャッター装置は手動閉鎖装置１１を備えており、手動閉鎖装置１１からの入力によって制御部８を介して開閉機６のブレーキを解放して自動閉鎖装置９がシャッターカーテン１を降下する。手動閉鎖装置９は、開口部の近くに設けてあり、火災時に、火災検知信号が制御部８に入力されることに先立って、開口部付近にいる人が手動閉鎖装置９を操作することで、シャッターカーテン１を降下させる場合もある。手動閉鎖装置１１によりシャッターカーテン１を降下させる場合には、火災検知信号に基づく降下のように２段階降下を行なってもよいが、２段階降下を行なわずに床面までシャッターカーテン１を降下して全閉状態としてもよい。また、制御部８に最初に入力された火災検知信号が、煙感知器ではなく熱感知器の検知信号であるような場合には、制御部８は２段階降下を行なわずに床面までシャッターカーテン１を降下して全閉状態とするように設定してもよい。
【００３１】
図５に袖扉の他の実施形態を示す。図５(A)の実施形態では、袖扉は、上側の第１扉体２Aと下側の第２扉体２Bとから構成されており、避難用の子扉５は下側の第２扉体２Bに設けてある。開口部全閉時において、シャッターカーテン１の幅方向の一端側の端部は、第１扉体２A、第２扉体２Bの戸先側にそれぞれ形成されたガイドレールの溝部内に受け入れられる。第１扉体２Aの高さ寸法は、一つの態様では、５００ｍｍ以上の高さを備えている。第１扉体２A、第２扉体２Bは、通常時には、側壁に対して平行する収納姿勢で、側壁に沿って収納されている。第１扉体２A、第２扉体２Bの戸尻側には、それぞれ、第１扉体２A、２Bを収納姿勢から閉鎖姿勢への回動させる自動閉鎖装置としてのオートヒンジが設けてあり、第１扉体２A、第２扉体２Bが自由な状態では、オートヒンジの付勢力によって、第１扉体２A、第２扉体２Bは、側壁に平行な収納姿勢から開口部の幅方向に延出する閉鎖姿勢へ向かって自動的に回動する。第１扉体２Aと第２扉体２Bの間には、第１扉体２Aと第２扉体２Bとが接触したことを検知するスイッチが設けてあり、当該スイッチと第１扉体２Aが閉鎖姿勢まで回動した時にONとなる連動スイッチSW1の両方がONになることよって第２扉体２Bが閉鎖姿勢にあることが確認される。第２扉体２Bが閉鎖姿勢にあることは他の手段で検知してもよい。
【００３２】
１つの態様では、第１扉体２A、第２扉体２Bが収納姿勢にある時には、第１扉体２Aのみが電磁レリーズによって閉鎖方向への回動が規制されている。収納姿勢において、第２扉体２Bは回動が規制されるように第１扉体２Aに当接している。第２扉体２Bは、電磁レリーズによって回動規制されている第１扉体２Aに当接することで収納姿勢が維持されており、電磁レリーズが解除されて第１扉体２Aがヒンジにより回動すると、第２扉体２Bもヒンジにより回動するようになっている。
【００３３】
このように構成された袖扉連動防火防煙シャッター装置において、火災時に制御部８が火災検知信号（煙感知器）を受信すると、制御部８からの信号により第１扉体２Aを収納姿勢に保持している電磁レリーズが解除され、オートヒンジのばね力により第１扉体２Aが閉鎖方向へ回動する。第１扉体２Aが閉鎖方向へ回動することで、第２扉体２Bのオートヒンジのばね力により閉鎖方向へ回動する。第１扉体２Aが閉鎖姿勢まで回動した時に、連動スイッチSW1がＯＮとなって、制御部８から閉鎖信号が自動閉鎖装置９に送信されて、自動閉鎖装置９を介して開閉機６のブレーキを解放してシャッターカーテン１が、幅方向一端側が第１扉体２Aの戸先側端部に形成されたガイドレールに、他端側が側壁に形成されたガイドレールにそれぞれ案内されながら、天井から所定距離（第１扉体２Aの下端よりも上）だけ降下して停止する。第１降下手段によってシャッターカーテン１が降下する所定距離は開閉機リミットスイッチSW2によって設定される。途中まで降下したシャッターカーテン１と第１扉体２Aによって上部から所定寸法D（５００ｍｍ以上）の防煙垂壁を形成することで、煙の流出を一定時間防ぐことができ、初期避難等に有効である。
【００３４】
第２降下手段は、制御部８がタイマないし熱感知器からの検知信号に加えて第２扉体２Bが閉鎖姿勢にあることを確認した上で作動して自動閉鎖装置９を介して開閉機６のブレーキを解放するように構成され、シャッターカーテン１が、幅方向一端側が第１扉体２A、第２扉体２Bの戸先側端部に形成されたガイドレールに、他端側が側壁に形成されたガイドレールにそれぞれ案内されながら床面まで降下して停止する。
【００３５】
他の態様では、第１扉体２A、第２扉体２Bが収納姿勢にある時には、第１扉体２A、第２扉体２Bは、それぞれ電磁レリーズによって閉鎖方向への回動が規制されている。煙感知器からの検知信号で第１扉体２Aの電磁レリーズが解除されて、第１扉体２Aが閉鎖姿勢となる。タイマないし熱感知器からの検知信号によって、第２扉体２Bの電磁レリーズが解除されて、第２扉体２Bが閉鎖姿勢となる。
【００３６】
火災時に制御部８が火災検知信号（煙感知器）を受信すると、制御部８からの信号により第１扉体２Aを収納姿勢に保持している電磁レリーズが解除され、オートヒンジのばね力により第１扉体２Aが閉鎖方向へ回動する。第１扉体２Aが閉鎖姿勢まで回動した時に、連動スイッチSW1がＯＮとなって、制御部８から閉鎖信号が自動閉鎖装置９に送信されて、自動閉鎖装置９を介して開閉機６のブレーキが解放されてシャッターカーテン１が、幅方向一端側が第１扉体２Aの戸先側端部に形成されたガイドレールに、他端側が側壁に形成されたガイドレールにそれぞれ案内されながら、天井から所定距離（第１扉体２Aの下端よりも上）だけ降下して停止する。第１降下手段によってシャッターカーテン１が降下する所定距離は開閉機リミットスイッチSW2によって設定される。途中まで降下したシャッターカーテン１と第１扉体２Aによって上部から所定寸法D（５００ｍｍ以上）の防煙垂壁を形成することで、煙の流出を一定時間防ぐことができ、初期避難等に有効である。
【００３７】
タイマないし熱感知器からの検知信号によって、第２扉体２Bの電磁レリーズが解除されて、第２扉体２Bがオートヒンジのばね力により回動して閉鎖姿勢となる。第２降下手段は、制御部８がタイマないし熱感知器からの検知信号に加えて第２扉体２Bが閉鎖姿勢にあることを確認した上で作動して自動閉鎖装置９を介して開閉機６のブレーキを解放するように構成され、シャッターカーテン１が、幅方向一端側が第１扉体２A、第２扉体２Bの戸先側端部に形成されたガイドレールに、他端側が側壁に形成されたガイドレールにそれぞれ案内されながら床面まで降下して停止する。
【００３８】
図５（B）では、図５（A）の第１扉体に代えて閉鎖姿勢にある袖扉２´の上部に位置して幕板２Cが設けてある。袖扉２´の高さ寸法は開口高よりも小さく、袖扉２´と幕板２Cを合わせた高さが開口高に対応している。幕板２Cの側端部には、シャッターカーテン１の一側の端部を受け入れるガイドレールが形成されている。
【００３９】
火災時に制御部８が火災検知信号（煙感知器）を受信すると、制御部８からの信号により袖扉２´を収納姿勢に保持している電磁レリーズが解除され、オートヒンジのばね力により袖扉２´が閉鎖方向へ回動する。袖扉２´が閉鎖姿勢まで回動した時に、連動スイッチSW1がＯＮとなって、制御部８から閉鎖信号が自動閉鎖装置９に送信されて、自動閉鎖装置９を介して開閉機６のブレーキを解放してシャッターカーテン１が、幅方向一端側が幕板２Cの側端部に形成されたガイドレールに、他端側が側壁に形成されたガイドレールにそれぞれ案内されながら、天井から所定距離（幕板２Cの下端よりも上）だけ降下して停止する。第１降下手段によってシャッターカーテン１が降下する所定距離は開閉機リミットスイッチSW2によって設定される。途中まで降下したシャッターカーテン１と幕板２Cによって上部から所定寸法D（５００ｍｍ以上）の防煙垂壁を形成することで、煙の流出を一定時間防ぐことができ、初期避難等に有効である。
【００４０】
第２降下手段は、制御部８がタイマないし熱感知器からの検知信号によって作動して自動閉鎖装置を介して開閉機のブレーキを解放するように構成されており、シャッターカーテン１が、幅方向一端側が幕板２Cの側端部、袖扉２´の戸先側端部にそれぞれ形成されたガイドレールに、他端側が側壁に形成されたガイドレールにそれぞれ案内されながら床面まで降下して停止する。
【００４１】
幕板２Cの高さ寸法が防煙垂壁を形成するのに十分でない場合には、第１降下手段は、シャッターカーテン１の幅方向の一側の端部を幕板２Cのガイドレール及び袖扉２´のガイドレールに案内させながら天井面から所定の距離だけ降下させて停止させ、停止したシャッターカーテン１と幕板２Cと袖壁２´の上方部位とで防煙垂壁を形成してもよい。
【００４２】
幕板２Cの高さが防煙垂壁を形成するのに十分な高さであれば、シャッターカーテン１の第１降下手段は、袖扉２´の位置にかかわらず、すなわち、袖扉２´が閉鎖姿勢にない時に作動するものでもよい。
【００４３】
具体的な態様としては、火災時に制御部８が火災検知信号（煙感知器）を受信すると、制御部８が自動閉鎖装置９を介して開閉機６のブレーキを解放してシャッターカーテン１が、幅方向一端側が幕板２Cの側端部に形成されたガイドレールに、他端側が側壁に形成されたガイドレールにそれぞれ案内されながら、天井から所定距離（幕板２Cの下端よりも上）だけ降下して停止する。第１降下手段によってシャッターカーテン１が降下する所定距離は開閉機リミットスイッチSW1によって設定される。途中まで降下したシャッターカーテン１と幕板２Cによって上部から所定寸法D（５００ｍｍ以上）の防煙垂壁を形成することで、煙の流出を一定時間防ぐことができ、初期避難等に有効である。
【００４４】
そして、タイマないし熱感知器からの検知信号によって、袖扉２´の電磁レリーズが解除されて、袖扉２´がオートヒンジのばね力により回動して閉鎖姿勢となる。第２降下手段は、タイマないし熱感知器からの検知信号に加えて、袖扉２´第２扉体２Bが閉鎖姿勢にあることを確認した上で作動して自動閉鎖装置を介して開閉機のブレーキを解放してシャッターカーテン１の降下が行なわれる。より具体的には、袖扉２´が閉鎖姿勢まで回動した時に、連動スイッチSW2がＯＮとなって、制御部８から閉鎖信号が自動閉鎖装置９に送信されて、自動閉鎖装置９を介して開閉機６のブレーキを解放して、シャッターカーテン１が、幅方向一端側が幕板２Cの側端部、袖扉２´の戸先側端部にそれぞれ形成されたガイドレールに、他端側が側壁に形成されたガイドレールにそれぞれ案内されながら床面まで降下して停止する。
【００４５】
ロック状態にあるラッチLの解除手段の実施形態について、図６乃至図８に基づいて説明する。図７は、閉鎖姿勢にある袖扉２の上端のラッチLがロック状態を示す図であり、図８は、閉鎖姿勢にある袖扉の上端のラッチLのロックが解除された状態を示す図である。図７の状態において、ラッチLは上下動のみ可能であり、図８の状態では、ラッチLは上下動に加えて回動可能となっている。ラッチLの解除手段は、一端側がラッチLに連携されており、他端側が開口部上方のブラケット内の可動部１２に連結されたワイヤW1と、ワイヤW1をラッチLから離間する方向に付勢するバネ１３と、一端側が操作ボックス１４のレバー１４０に連結されており、他端側が可動部１２に連結されているワイヤW2と、を備えている。
【００４６】
図７のロック状態において、袖扉２が収納姿勢から閉鎖姿勢へ回動すると、ラッチLはその傾斜面に袖扉２が当接することで上方に移動し、回動する袖扉２の上端のラッチ受けがラッチLの下端まで来ると、上方に移動したラッチLが下方に突出してラッチ受けに係止してロックする。袖扉２の開放方向の移動はラッチLの垂直面によって規制される。図７のロック状態において、操作ボックス１４のレバー１４０によってワイヤW２がバネ１３を圧縮するように引っ張られており、この状態で操作ボックス１４のボタン１４１を押すとレバー１４０が突出して引っ張りが解除され、バネ１３によって可動部１２をラッチLから離間する方向に移動させてワイヤW1を引っ張ることで、ラッチLは回動可能となり、袖扉２が開放方向へ移動する時にラッチ受けがラッチLに当接しながらラッチLを上方に回動させることで、袖扉２の開放方向への移動が許容される。また、レバー１４０を操作ボックス１４に押し込むことで図７のロック状態に復帰する。
【００４７】
ロック状態にあるラッチの解除手段の他の実施形態について、図９に基づいて説明する。袖扉２によって閉鎖される開口部上方には、ラッチLに近接して立ち上がり状の垂直板１５が形成されており、垂直板１５には、垂直部１５０と１５１とからレ状のガイド溝が形成されている。ラッチLは軸L１を介してレ状のガイド溝の垂直部１５０及び傾斜部１５１に沿って移動可能である。ラッチLがロック状態にある時には、軸L1はガイド溝の垂直部１５０に沿って移動し、ラッチLは上下方向にのみ移動可能である。ラッチLが解除状態にある時には、ラッチLは軸L1を中心に回動可能であると共に、軸L1はガイド溝の傾斜部１５１に沿って移動可能である。すなわち、ラッチLは回動かつ上下動可能となっている。ラッチLは押圧ブロック１６（自重で下がっている）によって下方に押圧されることでロック状態が維持されている。ソレノイド１７が通電により作動すると、押圧ブロック１６が上方に移動される。ソレノイド１７を１回作動させることでラッチLが倒れ、袖扉２の開放（復旧）が可能となる。
【００４８】
図９(1)はラッチLが袖扉２の上端に掛止したロック状態を示している。図９(1)の状態では、押圧ブロック１６によってラッチLの回動は規制されており、ラッチLは上下動のみ可能である。図９(1)の状態から、シャッター上限リミットに連動してソレノイド１７が作動し、押圧ブロック１６が上方に移動すると、図９(2)に示すように、ラッチLが回動して倒れた状態となる。ラッチLが倒れることで、ラッチLの傾斜面と垂直面が入れ替わる。図９(3)に示すように、ソレノイド１７の通電が終了しても、押圧ブロック１６によってラッチLが倒れたままの状態を維持する。ラッチLが倒れた状態において、復旧時に袖扉を開放方向移動させると、図９(4)、(5)に示すように、袖扉２の開放方向への移動に伴ってラッチLは、その傾斜面が袖扉２に当接しながら上方に移動してラッチLの掛止が解除される。この時、ラッチLの軸L1はガイド溝の傾斜部１５１に沿って斜め上方に移動する。図９(6)に示すように、袖扉２がラッチLから完全に離れると、ラッチLが自重で(1)の状態に戻る。
【産業上の利用可能性】
【００４９】
本発明は、防火防煙シャッターに用いることができる。
【符号の説明】
【００５０】
１  シャッターカーテン
２  袖扉
５  子扉
G1、G2  ガイドレール
【図１】
2010264082.tif 000003
【図２】
2010264082.tif 000004
【図３】
2010264082.tif 000005
【図４】
2010264082.tif 000006
【図５】
2010264082.tif 000007
【図６】
2010264082.tif 000008
【図７】
2010264082.tif 000009
【図８】
2010264082.tif 000010
【図９】
2010264082.tif 000011
【図１０】
2010264082.tif 000012